(57)【特許請求の範囲】
【請求項１】
直管型ランプのランプピンを挿入させる穴部を前面に有し、前記穴部の内周面から外側面に延びるランプピン挿通溝を前面に形成したソケット本体と、前記穴部に回転自在に装着され前記ランプピン挿通溝に連なって前記ランプピンの一方を案内するように直径方向に延びるランプピン案内凹部を形成し前記直管型ランプの回転に合わせて回転する回転子と、前記穴部内の前記回転子の周面に対向するように配設されて前記直管型ランプの回転により前記ランプピンの周面に接触する一対の導電ばねとを備えたはさみ込み型ランプソケットであって、
前記導電ばねは、前記ランプピンの装着位置で前記ランプピンに係合する凹部を有し、
前記回転子は、直径が前記直管型ランプの一対のランプピンの最外表面間の長さより小さく、外周が前記導電ばねに弾接可能な略円柱形であり、前記ランプピン案内凹部が前記ランプピン挿通溝に連なったときに前記凹部と係合する凸部を有し、かつ前記凸部が前記凹部と係合した状態で前記導電ばねの前記凹部以外の部分が前記回転子に接触しないように前記凸部の両側部分に凹みを有し、この場合に前記凸部の先端は前記回転子の円周面と同じ高さであり、
前記ランプピンが前記導電ばねの前記凹部に係合した状態で前記導電ばねの前記凹部以外の部分が前記回転子に接触しないように前記回転子の前記ランプピンの両側に平面状の欠除部を有し、
前記凹みおよび欠除部は、前記回転子の回動により前記凸部または前記ランプピンが前記導電ばねの前記凹部から外れた状態で前記導電ばねの前記凹部の開口縁部は両方とも前記回転子の周面に常に弾接し、前記凹部の両開口縁部の一方に前記ランプピンまたは前記凸部が接触しているとき他方は前記回転子の周面に接触するように設定されていることを特徴とするランプソケット。
【請求項２】
前記回転子は略円柱形の部分に肉盗み空間を凹設した請求項１記載のランプソケット。
【請求項３】
前記肉盗み空間に１または複数の連結壁を設けた請求項２記載のランプソケット。
【発明の詳細な説明】
【０００１】
【発明の属する技術分野】
この発明は、直管型蛍光ランプ等の照明器具に適用する直管型ランプのランプソケットに関するものである。
【０００２】
【従来の技術】
直管型ランプのランプピンを挿入させる穴部を前面に有し、穴部の内周面から外側面に延びるランプピン挿通溝を前面に形成したソケット本体と、穴部に回転自在に装着されランプピン挿通溝に連なってランプピンの一方を案内するランプピン案内凹部を前面の直径方向に形成し直管型ランプの回転に合わせて回転する回転子と、穴部内の回転子の周面に対向するように配設されてランプピンの周面に接触する一対の導電ばねとを備えたはさみ込み型ランプソケットがある。
【０００３】
第１の従来例（例えば実公昭50-10695号）は、回転子の回転位置を位置決めするため、回転子の底部外周縁に沿って複数の切欠を形成し、この切欠に弾性係合する凸部をランプソケットの弾性の背面板に形成している。
【０００４】
第２の従来例（例えば実公昭５０−１０６９６号）は、回転子の裏面に多数の凹部を円形に並べ、凹部に嵌まる球体とスプリングをランプソケットの背板に入れたものである。
【０００５】
第３の従来例（例えば特開昭５９−４０４７９号）は回転子の周方向に多数の凹部を設け背板に凸起を設け、回転子の弾性変形により凸起に係脱可能にしている。
【０００６】
第４の従来例（特開平８−１６７４５９号）は円筒形の回転子の内周面に突起を設け、回転子を支持する一対の支柱に係合凹部を形成し支柱を径方向に弾性変形可能にしている。
【０００７】
第５の従来例を図１７から図２０に示す。すなわち、図１７および図１８において、１００はボディ、１０１は円板１０１ａに立設した２本の略角柱状部１０１ｂからなる回転子、１０２は絶縁背面板、１０３は導電ばね、１０４は絶縁背面板１０２をボディ１００に固定するはとめ、１０５は導電ばね１０３に接続されたリード線、１０７はランプピン挿通溝、１０８はランプピン案内凹部、１０９は穴部である。図１９（ａ）および（ｂ）はランプピンを挿入できる状態であり、導電ばね１０３が回転子１０１の両側に弾接している。図２０は回転子１０１が約４５°回転した状態であり、回転子１０１の角１０１ｃが導電ばね１０３の浅いＶ字形の凹部１０３ａに図２０（ｃ）のように係合している。図１９（ｃ）はランプピン１０６が導電ばね１０３の凹部１０３ａに接触した状態である。
【０００８】
第６の従来例を図２１から図２３に示す。ボディ１００の穴部１０９内に一対の略半円筒状部１１０を立設し端部外周に周溝１１１を形成し、また穴部１０９に連通するランプピン挿通溝１０７から約４５°傾斜した位置に穴部１０９からＬ字スリット１１２を切り込んでその内側に弾性片１１３を形成し、弾性片１１３の先端部に山形突起１１４を形成している。回転子１０１は略半円筒状部１１０に外嵌する筒部１１５を有し筒部１１５に周溝１１１に係合する突条１１６を有し、回転子１０１のフランジ１１７はボディ１００の前面にかぶさる大きさを有しフランジ１１７の裏面に９０度間隔で４個の凹み１２０を設け、ボディ１００の山形突起１１４がこの凹み１２０に嵌まったところがランプを挿入・外しできる位置またはランプを使用状態にセットした位置である。１２１はボディ１００の裏面のカバーである。
【０００９】
【発明が解決しようとする課題】
第１の従来例は、合成樹脂製の背面絶縁板の弾性変形を回転子の回転抵抗に利用しているので、背面絶縁板として曲げ弾性率が高く、回転中の圧力でへたりを生じにくく、使用中の高温でもクリープ変形(へたり)を生じにくい材料を使用することにより実現できる。この要求に合う材料は熱可塑性樹脂ではポリカーボネートが代表的であるが汎用材料のポリプロピレン、ナイロンなどと比較して単価が高い。また熱硬化性樹脂は生産性が低く、強い力が加わると割れる欠点がある。また背面絶縁板が後方に変形することを見込むと、照明器具を一列に連続して取付けるときには隣接する照明器具のランプソケットの背面同士の間を空けなければならないので間隔が広くなり、その部分が暗くなる欠点がある。
【００１０】
第２の従来例は、回転子とランプソケットの背板との間にばねと球体が配置されるため、ランプソケットの厚さがその分だけ大きくなり、小型化できず部品代が高くつく。
【００１１】
第３の従来例は第１の従来例と同様にポリカーボネートなど使用材料が限られて、単価が高くなる。
【００１２】
第４の従来例も第１の従来例と同様に単価が高くなる。
【００１３】
第５の従来例は、図２０（ｂ）に示すように、導電ばね１０３の凹部１０３ａの内面で回転子１００の円板１０１ａの円形外周面と接する位置Ａ′よりも、回転子１００の略角柱状部１０１ｂの角１０１ｃの両端の位置Ｂ′がＸ軸寄りにある。したがってＬａで示した導電ばね１０３の凹部１０３ａのＶ形の谷にＬｂで示した回転子１０１の角柱状部１０１ｂの角１０１ｃの外周面が図２０（ｃ）に示すように完全にはまり込む。その結果、ランプを装着または外すために回転すれば約４５°の位置でこの状態が起こり、９０°回転するときに中間のところで回転トルクが高くなる。このためランプ装着時の回転が円滑でなく、正しいランプ装着位置と誤認することが起こるという欠点がある。
【００１４】
第６の従来例は、図２３（ｂ）に示すようにカバー１２１が反りや変形によりＸ′だけ内向きにずれると回転子１０１とボディ１００の接触面の相互の間隔ｙ′が広がり、山形突起１１４と凹部１２０の係脱によるクリック感やトルクが弱くなる。このため部品の寸法精度や変形のしにくさが要求される。またこれを防ぐためおよび繰り返しによるへたり防止する狙いでボディ１００は高弾性率でへたりにくく、削り摩耗しにくいポリカーボネートを使用し、回転子１０１は耐熱および高弾性率を得るガラス繊維を含有したポリブチレンテレフタレートを使用しているため、材料が高価になる。
【００１５】
したがって、この発明の目的は、挾み込み形ソケットにおいて、回転子の回転が円滑でクリック感がよくかつ安価にできるランプソケットを提供することである。
【００１６】
【課題を解決するための手段】
請求項１記載のランプソケットは、直管型ランプのランプピンを挿入させる穴部を前面に有し、前記穴部の内周面から外側面に延びるランプピン挿通溝を前面に形成したソケット本体と、前記穴部に回転自在に装着され前記ランプピン挿通溝に連なって前記ランプピンの一方を案内するように直径方向に延びるランプピン案内凹部を形成し前記直管型ランプの回転に合わせて回転する回転子と、前記穴部内の前記回転子の周面に対向するように配設されて前記直管型ランプの回転により前記ランプピンの周面に接触する一対の導電ばねとを備えたはさみ込み型ランプソケットであって、
前記導電ばねは、前記ランプピンの装着位置で前記ランプピンに係合する凹部を有し、
前記回転子は、直径が前記直管型ランプの一対のランプピンの最外表面間の長さより小さく、外周が前記導電ばねに弾接可能な略円柱形であり、前記ランプピン案内凹部が前記ランプピン挿通溝に連なったときに前記凹部と係合する凸部を有し、かつ前記凸部が前記凹部と係合した状態で前記導電ばねの前記凹部以外の部分が前記回転子に接触しないように前記凸部の両側部分に凹みを有し、この場合に前記凸部の先端は前記回転子の円周面と同じ高さであり、
前記ランプピンが前記導電ばねの前記凹部に係合した状態で前記導電ばねの前記凹部以外の部分が前記回転子に接触しないように前記回転子の前記ランプピンの両側に平面状の欠除部を有し、
前記凹みおよび欠除部は、前記回転子の回動により前記凸部または前記ランプピンが前記導電ばねの前記凹部から外れた状態で前記導電ばねの前記凹部の開口縁部は両方とも前記回転子の周面に常に弾接し、前記凹部の両開口縁部の一方に前記ランプピンまたは前記凸部が接触しているとき他方は前記回転子の周面に接触するように設定されていることを特徴とするものである。
【００１７】
請求項１記載のランプソケットによれば、ランプピンがランプピン挿通溝に挿脱されるランプの挿入および取外し位置からランプピンが導電ばねに接触するランプピン装着に至るまでのランプの往復回転ともに回転子の円周部が常に導電ばねに接している。回転子の円周面は回転軸と略同心であって導電ばねの内面を一定の直径内の円周上に維持するためトルク変化が小さくできるので、回転子の回転が円滑である。また導電ばねの最大たわみはランプピンの外側が導電ばねの凹部と当たったときであり、最小たわみは回転子の凸部が導電ばねの凹部に嵌まったときであり、この最も中心寄りの位置は回転子の凸部で規制している。したがって、たわみを繰り返す範囲は最大たわみと最小たわみの範囲であるから応力振幅が従来例より狭くなっており繰り返し疲労が少ない。このため、導電ばねのたわみ代が小さくなりばねの繰り返し疲労が少ないため長寿命にできる。さらにランプを挿入する角度およびランプを装着して停止する角度ではトルクがほぼゼロとなり、他の角度ではトルクが必要であるから、停止すべき角度が操作感触でも分かりやすい。
【００２０】
請求項２記載のランプソケットは、請求項１において、前記回転子が略円柱形の部分に肉盗み空間を凹設したものである。
【００２１】
請求項２記載のランプソケットによれば、請求項１と同様な効果がある。
【００２２】
請求項３記載のランプソケットは、請求項２において、前記肉盗み空間に１または複数の連結壁を設けたものである。
【００２３】
請求項３記載のランプソケットによれば、請求項２と同様な効果がある。
【００２４】
【発明の実施の形態】
この発明の第１の実施の形態を図１から図１０により説明する。すなわち、はさみ込み型ランプソケットであって、ソケット本体１と、回転子２と、導電ばね３を有する。
【００２５】
ソケット本体１は、直管蛍光ランプ等の直管型ランプのランプピンを挿入させる穴部４を前面に有し、穴部４の内周面から外側面に延びるランプピン挿通溝５を前面に形成し、このランプピン挿通溝５は電線引出穴６、７と反対側の頂部に形成している。実施の形態では一対の前カバー８と後カバー９からなり、互いに相嵌合して組み合わせ取付穴１０、１１に取付具（図示せず）を通して取付ける。前カバー８は穴部４とランプピン挿通溝５を有し、後カバー９は前カバー８を合わせたときの穴部４の中心位置に割り付き略円筒部１２を立設し、略円筒部１２の外周に周溝１３を形成し、割り溝１４はランプピン挿通溝５の長手方向に形成している。電線引出穴６、７は相整合する位置に形成している。１７は電線解除穴、１８は導電ばね係止溝、１９は速結端子部位置決め凹部である。
【００２６】
一対の導電ばね３は、穴部４内の回転子２の周面に対向するように配設されて直管型ランプの回転によりランプピンの周面に接触する。導電ばね３はランプピンの装着位置でランプピンに係合する凹部１５を段曲げしている。実施の形態では、帯状の板ばねにより形成し、その基端部に電線引出穴６、７に対応して速結端子部１６を一体形成している。導電ばね３の先端部を導電ばね係止溝１８に係止し、速結端子部１６を速結端子部位置決め凹部１９に位置決めして、導電ばね３を両端で２点支持している。
【００２７】
回転子２は、穴部４に回転自在に装着されランプピン挿通溝５に連なってランプピンの一方を案内するように直径方向に延びるランプピン案内凹部２０を形成しており、直管型ランプの回転に合わせて回転する。回転子２は外周が導電ばね３に弾接する略円柱形であり、ランプピン案内凹部２０がランプピン挿通溝５に連なったときに導電ばね３の凹部１５と係合する凸部２１を有し、かつ凸部２１が凹部１５と係合した状態で導電ばね３の凹部１５以外の部分が回転子２に接触しないように凸部２１の両側部分に凹み２２を形成している。回転子２の直径は例えば図３に示すように直管型ランプの一対のランプピンの最外表面間の長さと略同じである。
【００２８】
実施の形態では、回転子２の略円柱形が円筒体であり、その端部に穴部４に嵌合するフランジ３１を形成し、円筒体の内周面に周溝１３に摺動自在に係合する突条３２を形成している。また回転子２が導電ばね３の凹部１５に回転子２の凸部２１を嵌めて凸部２１で導電ばね３を押し広げたとき、回転子２の円周部を部分的に凹ませる凹み２２を形成して導電ばね３の凹部１５以外の部分が当たらないように配慮している。凹み２２と同じ狙いで回転子２の円周のランプピン案内凹部２０の近傍すなわちランプピン２３が通る溝２６の両側に欠除部２７を設けている。回転子２の円周部は回転中心と略同心であって円柱面の直径Φは適合するランプ口金の２本のランプピンの外側寸法ΦＤ以内であり、導電ばね３の内面に常に接している。そして回転子２の直径Φ、凹み２２および欠除部２７の寸法を決める条件はつぎのとおりである。
【００２９】
すなわち、条件１は図５に矢印で示すように、ランプを左回転して外しかけた状態であり、導電ばね３の凹部１５の開口縁部の一つが回転子２の欠除部２７にはまることによって回転力が変化する（かたくなる）ことを防ぐ条件がＡ≦Ｂである。これは図５に示すようにランプピン２３が凹部１５から離れる直前において回転子２の円周が導電ばね３に当たっている。このときＡはＸ軸から回転子の角（円周面と欠除部２７とのつながり部分）２５までのＹ方向寸法、ＢはＸ軸から導電ばね３が回転子２の円周面に当たっているところまでのＹ方向寸法である。
【００３０】
条件２は図６に示すように回転子２のランプ装着位置から回転子２を４５°回転した状態であり、条件１と同様にＣ≧Ｄである。Ｃは回転子２の円周面の弦の長さ（凹み２２と欠除部２７間の長さ）、Ｄは図６に示すように回転子２の円周面に当たっている、導電ばね３の凹部１５の両開口縁部の相互間の距離である。
【００３１】
条件３は図７に示すように回転子２の凸部２１が導電ばね３の凹部１５から外れた状態であり、条件１と同様にＥ≦Ｄである。Ｅは回転子２の凹み２２の部分の長さ（凸部２１の一側の円周部分から凹み２２が始まり、凹み２２が終わるまでの長さ）である。
【００３２】
条件４は図８に示すように、ランプピン２３の装着状態で回転子２の円周が導電ばね３に当たらないための条件である。ランプピン２３を取付けた図４の状態から回転子２に右まわしの力を加えて最悪にしたときでも、回転子２で導電ばね３を押すことはない。すなわち、第１は回転子２の円周角部（円周面と欠除部２７のつながり部分）２５は導電ばね３と離れている。第２は回転子２のランプピン２３が通るランプピン案内凹部２０の側面がランプピン２３に当たっている。第３はランプピン２３が右回転力により導電ばね３の凹部１５の下方端に寄っている、という条件を満足する。
【００３４】
図９（ａ）は本発明のランプ着脱時のトルクチャート、同図（ｂ）は図１０に示すように回転子２に導電ばね３が当たる円筒がないもののトルクチャートである（本発明でないもの）。本発明でないものは回転の途中にも停止すべき角度と同様の感触が生じるため問題を生じることがある。
【００３５】
図において、▲１▼は回転子２がランプ挿入位置にあるとき、▲２▼は回転子２が▲１▼より九十度回転した位置にあるとき（ランプ装着した状態）、Ａ、Ｃは回転子２の凸部２１が導電ばね３を外方に押し広げるときのトルクのピーク、Ｂ、Ｄはランプピン２３が導電ばね３を外方に押し広げるときのピーク、Ｅは回転子２の円周を導電ばね３が挾みつけた状態でのトルク、Ｆは回転子２の凸部２１およびランプピン２３がともに導電ばね３の凹部１５から離れている状態、Ｇは回転子２またはランプピン２３が導電ばね３の挾み力で付勢回転されてトルクが負になる。図９（ａ）のＥは回転子２の凸部２１が導電ばね３の凹部１５から外れた後のトルクであり、回転子２の円周で導電ばね３の挾みつける力を受けながら回転子２が回るため値の変動がある。そのため、常に摩擦しているので、トルクがゼロ〜負にならないので、この位置をランプ挿入位置（角度）またはランプ装着位置と誤って認識することがなくなる。一方、図９（ｂ）のＦは回転子２の凸部２１が導電ばね３の凹部１５から外れてから、引き続き回ってランプピン２３が導電ばね３の凹部１５に当たるまでのトルクであり、回転子２の中心を支える摩擦はごくわずかであり、手の感じでは空回りの状態であり、この状態はランプ挿入位置またはランプ装着位置と同じ感触であるため、挿入位置または装着位置と誤って認識するおそれがある。さらにこの状態のまま通電すると、ランプピンが導電ばね３に触れたときは点灯する可能性があるが、安定した接触力が得られないため、ちらつきや接触不良を生じるので、避けるべき構造である。
【００３６】
この発明の第２の実施の形態を図１１から図１４により説明する。すなわち、第１の実施の形態において、回転子２は略円柱形の部分に肉盗み空間３５を設けている。実施の形態では、肉盗み空間３５の部分だけ材料が少ない肉盗みを形成することにより、回転子２の肉厚が薄くなるので成形時のひけが生じなく、樹脂が少ないので成形サイクルの短縮が図られる。またばね性を有するので導電ばねの凹部１５に嵌まり脱出する際にたわみを生じ凹部１５から脱出容易になる。一方ランプピン２３は図１４に示すようにランプ管４０の端部に設けた板４１に設けており、外力により例えば矢印のようにたわみを生じるので、ランプピン２３と略同様のばね性に合わせることより、ランプ着脱時と似た感触が得られる。また回転子２を回転するときのクリックアクションにより音を発するが肉盗み空間３５により大きくなり、明確に位置を認識できる。
【００３７】
この発明の第３の実施の形態を図１５から図１６に示す。すなわち、第２の実施の形態において、肉盗み空間３５に１または複数の連結壁４２、４３を設けている。図１５は連結壁４２を１個設けて凸部２１のたわみを少なくし、図１６は連結壁４３を２個設けて１個の場合より凸部２１のたわみを増した例である。
【００３８】
【発明の効果】
請求項１記載のランプソケットによれば、ランプピンがランプピン挿通溝に挿脱されるランプの挿入および取外し位置からランプピンが導電ばねに接触するランプピン装着に至るまでのランプの往復回転ともに回転子の円周部が常に導電ばねに接している。回転子の円周面は回転軸と略同心であって導電ばねの内面を一定の直径内の円周上に維持するためトルク変化が小さくできるので、回転子の回転が円滑である。また導電ばねの最大たわみはランプピンの外側が導電ばねの凹部と当たったときであり、最小たわみは回転子の凸部が導電ばねの凹部に嵌まったときであり、この最も中心寄りの位置は回転子の凸部で規制している。したがって、たわみを繰り返す範囲は最大たわみと最小たわみの範囲であるから応力振幅が従来例より狭くなっており繰り返し疲労が少ない。このため、導電ばねのたわみ代が小さくなりばねの繰り返し疲労が少ないため長寿命にできる。さらにランプを挿入する角度およびランプを装着して停止する角度ではトルクがほぼゼロとなり、他の角度ではトルクが必要であるから、停止すべき角度が操作感触でも分かりやすい。
【００４０】
請求項２記載のランプソケットによれば、請求項１と同様な効果がある。
【００４１】
請求項３記載のランプソケットによれば、請求項２と同様な効果がある。
【図面の簡単な説明】
【図１】この発明の第１の実施の形態の分解斜視図である。
【図２】ランプソケットの外形を示す斜視図である。
【図３】ランプピン挿入位置の回転子の正面図である。
【図４】ランプピンが導電ばねに係止した状態の正面図である。
【図５】ランプを回転してランプピンを外しかけた状態の正面図である。
【図６】回転子を４５°回転した状態の正面図である。
【図７】回転子の凸部が導電ばねの凹みから外れた状態の正面図である。
【図８】ランプピン装着状態で回転子の円周が導電ばねにあたらない条件を示す正面図である。
【図９】（ａ）はランプ着脱時のトルクチャート、（ｂ）は回転子に導電ばねが当たる円筒がないもののトルクチャートである。
【図１０】回転子の凸部とランプピンともに導電ばねの凹部から離れた例の正面図である。
【図１１】第２の実施の形態の回転子を示す正面図である。
【図１２】その側面図である。
【図１３】回転子の断面図である。
【図１４】ランプピンの取付部分の断面図である。
【図１５】第３の実施の形態の回転子の正面図である。
【図１６】その変形タイプの正面図である。
【図１７】従来例の回転子の斜視図である。
【図１８】その分解斜視図である。
【図１９】（ａ）、（ｂ）は回転子がランプピン挿入状態にあるランプソケットの正面図、（ｃ）はランプピン装着状態の正面図である。
【図２０】（ａ）は回転子が約４５°回転した状態の正面図、（ｂ）その部分拡大図、（ｃ）はその一部の説明図である。
【図２１】従来例のランプソケットの斜視図である。
【図２２】他の従来例のランプソケットを示し、（ａ）はソケット本体の斜視図、（ｂ）は回転子を裏面側から見た斜視図である。
【図２３】（ａ）は半断面図、（ｂ）はカバーに反りが生じた状態の断面図、（ｃ）は回転子が凹凸係合している状態の部分断面図、（ｄ）は回転子の凹凸係合が外れている状態の部分断面図である。
【符号の説明】
１    ソケット本体
２    回転子
３    導電ばね
４    穴部
５    ランプピン挿通溝
１５    凹部
１６    速結端子部
２０    ランプピン案内凹部
２１    凸部
２２    凹み
２３    ランプピン
２７    欠除部
３５    肉盗み空間
４２    連結壁
４３    連結壁
【図１】
0004024465.tif 000002
【図２】
0004024465.tif 000003
【図３】
0004024465.tif 000004
【図４】
0004024465.tif 000005
【図５】
0004024465.tif 000006
【図６】
0004024465.tif 000007
【図７】
0004024465.tif 000008
【図８】
0004024465.tif 000009
【図９】
0004024465.tif 000010
【図１０】
0004024465.tif 000011
【図１１】
0004024465.tif 000012
【図１２】
0004024465.tif 000013
【図１３】
0004024465.tif 000014
【図１４】
0004024465.tif 000015
【図１５】
0004024465.tif 000016
【図１６】
0004024465.tif 000017
【図１７】
0004024465.tif 000018
【図１８】
0004024465.tif 000019
【図１９】
0004024465.tif 000020
【図２０】
0004024465.tif 000021
【図２１】
0004024465.tif 000022
【図２２】
0004024465.tif 000023
【図２３】
0004024465.tif 000024